(57)【特許請求の範囲】
【請求項１】
情報提供を行う情報提供者から提供された提供情報を、当該情報提供者によって当該提供情報が提供された位置を特定する位置情報に関連付けて格納する提供情報格納手段と、交通環境事象を特定する情報と当該交通環境事象が発生している範囲を特定する情報とを含む交通環境情報を配信する交通環境情報配信手段とに、ネットワークを介して通信可能に接続された交通環境情報辞書作成装置であって、
前記提供情報と当該提供情報に対応する前記位置情報とを、前記提供情報格納手段から取得する提供情報取得手段と、
前記交通環境情報を前記交通環境情報配信手段から取得する交通環境情報取得手段と、
前記提供情報取得手段により取得された位置情報と、前記交通環境情報取得手段により取得された交通環境情報とに基づき、前記交通環境事象が発生している範囲内で提供された前記提供情報を特定し、当該特定した提供情報に含まれる語句の少なくとも一部を、当該発生している交通環境事象に関連付けて、語句と交通環境事象とを相互に関連付けて格納する交通環境情報語句格納手段に格納する、交通環境情報辞書登録手段と、
を備える交通環境情報辞書作成装置。
【請求項２】
前記交通環境情報辞書登録手段は、同一の語句が、同種の前記交通環境事象が発生している範囲内で提供された前記提供情報に含まれていた累積回数に基づき、当該語句を前記交通環境情報語句格納手段に格納するか否かを判定する、
請求項１に記載の交通環境情報辞書作成装置。
【請求項３】
前記提供情報格納手段が、前記情報提供者を一意に識別する提供者識別情報を、当該情報提供者から提供された前記提供情報と関連付けて格納する場合において、
前記提供情報取得手段は、前記提供者識別情報を前記提供情報格納手段から取得し、
前記交通環境情報辞書登録手段は、前記語句を、当該語句を含む提供情報に対応する前記提供者識別情報に関連付けて前記交通環境情報語句格納手段に格納する、
請求項１又は２に記載の交通環境情報辞書作成装置。
【請求項４】
前記交通環境情報辞書登録手段は、前記提供情報取得手段により取得された位置情報に基づき、前記語句を、当該語句を含む提供情報が提供された位置を含む地域に関連付けて前記交通環境情報語句格納手段に格納する、
請求項１から３のいずれか一項に記載の交通環境情報辞書作成装置。
【請求項５】
情報提供を行う情報提供者から提供された提供情報と、当該情報提供者によって当該提供情報が提供された位置を特定する位置情報とを、当該提供情報と当該位置情報とを相互に関連付けて格納する提供情報格納手段から取得する提供情報取得ステップと、
交通環境事象を特定する情報と当該交通環境事象が発生している範囲を特定する情報とを含む交通環境情報を、当該交通環境情報を配信する交通環境情報配信手段から取得する交通環境情報取得ステップと、
前記提供情報取得ステップで取得された位置情報と、前記交通環境情報取得ステップで取得された交通環境情報とに基づき、前記交通環境事象が発生している範囲内で提供された前記提供情報を特定し、当該特定した提供情報に含まれる語句の少なくとも一部を、当該発生している交通環境事象に関連付けて記憶手段に格納する、交通環境情報辞書登録ステップと、
を含む交通環境情報辞書作成方法。
【請求項６】
請求項５に記載の方法をコンピュータに実行させる交通環境情報辞書作成プログラム。
【発明の詳細な説明】
【技術分野】
【０００１】
本発明は、交通環境情報辞書作成装置、交通環境情報辞書作成方法、及び交通環境情報辞書作成プログラムに関する。
【背景技術】
【０００２】
従来、文章に含まれている所定の単語を抽出して辞書に登録することが行われている。例えば、単語データ受信手段により受信された単語データのうちユーザ辞書に登録されていない単語データの少なくとも一部をユーザ辞書に追加して登録する、単語登録システムが提案されている。この単語登録システムでは、単語の「読み」とそれに対応する漢字とを予め対応付けた単語データを、例えばＷｅｂサイトからインターネットを介して受信し、当該受信した単語データがユーザ辞書に登録されていない場合に、ユーザ辞書に追加登録する（例えば、特許文献１参照）。
【先行技術文献】
【特許文献】
【０００３】
【特許文献１】特開２００２−９９５３１号公報
【発明の概要】
【発明が解決しようとする課題】
【０００４】
ところで、例えば渋滞、交通規制、工事、事故、イベント、天気、路面の滑りやすさ、駐車場の込み具合、鉄道の遅延状況等を含む交通環境事象と、これらの交通環境事象を表す語句とを対応付けて登録した交通環境情報辞書を作成することが考えられる。しかしながら、上述の如き従来のシステムを用いて交通環境情報辞書に語句を登録する場合、語句とそれに対応する交通環境事象とを予め対応付けたデータを用いなければ辞書に登録することができなかった。従って、交通環境事象を表す語句として一般的ではないために交通環境事象と予め対応付けられていない語句（例えば特定の地域のみで用いられる語句や、特定の利用者のみにより用いられる語句）については、当該交通環境事象と対応付けて辞書に登録することができなかった。
【０００５】
本発明は、上記に鑑みてなされたものであって、交通環境事象を表す語句として一般的ではない語句についても交通環境情報辞書に登録することができる、交通環境情報辞書作成装置、交通環境情報辞書作成方法、及び交通環境情報辞書作成プログラムを提供することを目的とする。
【課題を解決するための手段】
【０００６】
上述した課題を解決し、目的を達成するために、請求項１に記載の交通環境情報辞書作成装置は、情報提供を行う情報提供者から提供された提供情報を、当該情報提供者によって当該提供情報が提供された位置を特定する位置情報に関連付けて格納する提供情報格納手段と、交通環境事象を特定する情報と当該交通環境事象が発生している範囲を特定する情報とを含む交通環境情報を配信する交通環境情報配信手段とに、ネットワークを介して通信可能に接続された交通環境情報辞書作成装置であって、前記提供情報と当該提供情報に対応する前記位置情報とを、前記提供情報格納手段から取得する提供情報取得手段と、前記交通環境情報を前記交通環境情報配信手段から取得する交通環境情報取得手段と、前記提供情報取得手段により取得された位置情報と、前記交通環境情報取得手段により取得された交通環境情報とに基づき、前記交通環境事象が発生している範囲内で提供された前記提供情報を特定し、当該特定した提供情報に含まれる語句の少なくとも一部を、当該発生している交通環境事象に関連付けて、語句と交通環境事象とを相互に関連付けて格納する交通環境情報語句格納手段に格納する、交通環境情報辞書登録手段と、を備える。
【０００７】
また、請求項２に記載の交通環境情報辞書作成装置は、請求項１に記載の交通環境情報辞書作成装置において、前記交通環境情報辞書登録手段は、同一の語句が、同種の前記交通環境事象が発生している範囲内で提供された前記提供情報に含まれていた累積回数に基づき、当該語句を前記交通環境情報語句格納手段に格納するか否かを判定する。
【０００８】
また、請求項３に記載の交通環境情報辞書作成装置は、請求項１又は２に記載の交通環境情報辞書作成装置において、前記提供情報格納手段が、前記情報提供者を一意に識別する提供者識別情報を、当該情報提供者から提供された前記提供情報と関連付けて格納する場合において、前記提供情報取得手段は、前記提供者識別情報を前記提供情報格納手段から取得し、前記交通環境情報辞書登録手段は、前記語句を、当該語句を含む提供情報に対応する前記提供者識別情報に関連付けて前記交通環境情報語句格納手段に格納する。
【０００９】
また、請求項４に記載の交通環境情報辞書作成装置は、請求項１から３のいずれか一項に記載の交通環境情報辞書作成装置において、前記交通環境情報辞書登録手段は、前記提供情報取得手段により取得された位置情報に基づき、前記語句を、当該語句を含む提供情報が提供された位置を含む地域に関連付けて前記交通環境情報語句格納手段に格納する。
【００１０】
また、請求項５に記載の交通環境情報辞書作成方法は、情報提供を行う情報提供者から提供された提供情報と、当該情報提供者によって当該提供情報が提供された位置を特定する位置情報とを、当該提供情報と当該位置情報とを相互に関連付けて格納する提供情報格納手段から取得する提供情報取得ステップと、交通環境事象を特定する情報と当該交通環境事象が発生している範囲を特定する情報とを含む交通環境情報を、当該交通環境情報を配信する交通環境情報配信手段から取得する交通環境情報取得ステップと、前記提供情報取得ステップで取得された位置情報と、前記交通環境情報取得ステップで取得された交通環境情報とに基づき、前記交通環境事象が発生している範囲内で提供された前記提供情報を特定し、当該特定した提供情報に含まれる語句の少なくとも一部を、当該発生している交通環境事象に関連付けて記憶手段に格納する、交通環境情報辞書登録ステップと、を含む。
【００１１】
また、請求項６に記載の交通環境情報辞書作成プログラムは、請求項５に記載の方法をコンピュータに実行させる。
【発明の効果】
【００１２】
請求項１に記載の交通環境情報辞書作成装置、請求項５に記載の交通環境情報辞書作成方法、及び請求項６に記載の交通環境情報辞書作成プログラムによれば、提供情報取得手段により取得された位置情報と、交通環境情報取得手段により取得された交通環境情報とに基づき、交通環境事象が発生している範囲内で提供された提供情報を特定し、当該特定した提供情報に含まれる語句の少なくとも一部を、当該発生している交通環境事象に関連付けて交通環境情報語句格納手段に格納するので、交通環境事象を表す語句として一般的ではない語句についても、特定の交通環境事象を表す語句として交通環境情報語句格納手段に格納することができる。
【００１３】
また、請求項２に記載の交通環境情報辞書作成装置によれば、交通環境情報辞書登録手段は、同一の語句が、同種の交通環境事象が発生している範囲内で提供された提供情報に含まれていた累積回数に基づき、当該語句を交通環境情報語句格納手段に格納するか否かを判定するので、同種の交通環境事象について一定程度使用されている語句のみを交通環境情報語句格納手段に格納することができ、交通環境情報語句格納手段の信頼性を向上させることができる。
【００１４】
また、請求項３に記載の交通環境情報辞書作成装置によれば、交通環境情報辞書登録手段は、交通環境事象が発生している範囲内で提供された提供情報に含まれる語句を、当該語句を含む提供情報に対応する提供者識別情報に関連付けて交通環境情報語句格納手段に格納するので、交通環境事象を表す語句として一般的ではなく、所定の情報提供者のみにおいて用いられる語句についても、当該交通環境事象を表す情報提供者特有の語句として交通環境情報語句格納手段に格納することができる。
【００１５】
また、請求項４に記載の交通環境情報辞書作成装置によれば、交通環境情報辞書登録手段は、提供情報取得手段により取得された位置情報に基づき、交通環境事象が発生している範囲内で提供された提供情報に含まれる語句を、当該語句を含む提供情報が提供された位置を含む地域に関連付けて交通環境情報語句格納手段に格納するので、交通環境事象を表す語句として一般的ではなく、所定の地域のみにおいて用いられる語句についても、当該交通環境事象を表す地域特有の語句として交通環境情報語句格納手段に格納することができる。
【図面の簡単な説明】
【００１６】
【図１】実施の形態に係る交通環境情報辞書作成装置を例示するブロック図である。
【図２】キーワード辞書に格納されている情報を例示した表である。
【図３】情報提供者「△△」についてのユーザ辞書に格納されている情報を例示した表である。
【図４】一定範囲の地域「△×地区」についてのエリア辞書に格納されている情報を例示した表である。
【図５】交通環境情報辞書に格納されている情報を例示した表である。
【図６】キーワード辞書登録処理のフローチャートである。
【図７】端末装置から提供情報公開サーバにアップロードされ、当該提供情報公開サーバに格納される提供情報を例示した表である。
【図８】分類処理のフローチャートである。
【図９】交通環境情報辞書登録処理のフローチャートである。
【発明を実施するための形態】
【００１７】
以下、本発明に係る交通環境情報辞書作成装置、交通環境情報辞書作成方法、及び交通環境情報辞書作成プログラムの実施の形態について図面を参照しつつ詳細に説明する。ただし、この実施の形態によって本発明が限定されるものではない。
【００１８】
（構成）
最初に、実施の形態に係る交通環境情報辞書作成装置の構成について説明する。図１は、本実施の形態に係る交通環境情報辞書作成装置を例示するブロック図である。図１に示すように、交通環境情報辞書作成装置１は、提供情報公開サーバ３、及び交通環境情報配信サーバ４と、ネットワーク２を介して通信可能に接続されている。
【００１９】
提供情報公開サーバ３は、情報提供者から提供された提供情報を、当該提供情報が提供された位置を特定する位置情報に関連付けて格納する提供情報格納手段である。この提供情報公開サーバ３の具体的な内容は任意であり、例えば、ＳＮＳ（Ｓｏｃｉａｌ  Ｎｅｔｗｏｒｋｉｎｇ  Ｓｅｒｖｉｃｅ）サーバや、各種ブログサイト等のサーバを用いることができる。提供情報公開サーバ３に対しては、ネットワーク２を介して端末装置（図示省略）が接続されている。この端末装置からは、情報提供者によってテキスト形式の提供情報が提供情報公開サーバ３にアップロードされ、当該提供情報が読み出し可能に当該提供情報公開サーバ３に格納される。
【００２０】
交通環境情報配信サーバ４は、交通環境事象（例えば、渋滞、交通規制、工事、事故、イベント、天気、路面の滑りやすさ、駐車場の込み具合、鉄道の遅延状況等）を特定する情報と当該交通環境事象が発生している範囲を特定する情報とを含む交通環境情報を配信する交通環境情報配信手段である。この交通環境情報配信サーバ４としては、例えば、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）においてＦＭ多重放送やビーコン等を介して交通環境情報を配信する配信サーバ等を用いることができる。なお、交通環境情報配信サーバ４は、例えば警察、道路管理者、各種交通機関運行者等から提供された情報や、車両から収集したプローブ情報等に基づき、交通環境情報を取得する。
【００２１】
交通環境情報辞書作成装置１は、図１に示すように、通信部１０、制御部２０、及びデータ記録部３０を備えている。
【００２２】
（構成−通信部）
通信部１０は、ネットワーク２を介して提供情報公開サーバ３や交通環境情報配信サーバ４と通信を行う通信手段であり、公知の通信装置を用いることができる。
【００２３】
（構成−制御部）
制御部２０は、交通環境情報辞書作成装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る交通環境情報辞書作成プログラムは、任意の記録媒体又はネットワーク２を介して交通環境情報辞書作成装置１にインストールされることで、制御部２０の各部を実質的に構成する。
【００２４】
この制御部２０は、機能概念的に、提供情報取得部２１、交通環境情報取得部２２、及び交通環境情報辞書登録部２３を備えている。提供情報取得部２１は、提供情報と当該提供情報に対応する位置情報とを、提供情報公開サーバ３から取得する提供情報取得手段である。交通環境情報取得部２２は、交通環境情報を交通環境情報配信サーバ４から取得する交通環境情報取得手段である。交通環境情報辞書登録部２３は、所定の語句を交通環境情報辞書に登録する交通環境情報辞書登録手段である。これらの制御部２０の各部によって実行される処理の詳細については後述する。
【００２５】
（構成−データ記録部）
データ記録部３０は、交通環境情報辞書作成装置１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００２６】
このデータ記録部３０は、キーワード辞書３１、ユーザ辞書３２、エリア辞書３３、及び交通環境情報辞書３４を備えている。
【００２７】
キーワード辞書３１は、提供情報取得部２１が提供情報公開サーバ３から取得した提供情報に含まれる語句を格納する格納手段である。図２は、キーワード辞書３１に格納されている情報を例示した表である。この図２に示すように、キーワード辞書３１には、項目「語句」「事象」及び「総使用回数」に対応する情報が相互に関連付けて格納されている。この内、項目「語句」に対応して格納される情報は、提供情報取得部２１が提供情報公開サーバ３から取得した提供情報に含まれる語句である（図２では「渋滞」「混んでる」等）。項目「事象」に対応して格納される情報は、対応する語句を含む提供情報が提供された位置で発生していた交通環境事象を示す情報である（図２では「渋滞」）。項目「総使用回数」に対応して格納される情報は、同一の語句が、同種の交通環境事象が発生している範囲内で提供された提供情報に含まれていた累積回数を示す情報である（図２では同一の語句「渋滞」が同種の交通環境事象「渋滞」が発生している範囲内で提供された提供情報に含まれていた累積回数として「５３２」等）。
【００２８】
ユーザ辞書３２は、提供情報取得部２１が提供情報公開サーバ３から取得した提供情報に含まれる語句を、その提供情報を提供した情報提供者毎に格納する格納手段である。図３は、情報提供者「△△」についてのユーザ辞書３２に格納されている情報を例示した表である。この図３に示すように、ユーザ辞書３２には、項目「語句」及び「ユーザ使用回数」に対応する情報が相互に関連付けて格納されている。項目「語句」に対応して格納される情報は、提供情報取得部２１が提供情報公開サーバ３から取得した提供情報の内、当該ユーザ辞書３２に対応する情報提供者（図３の例では「△△」）が提供した提供情報に含まれる語句である（図３では「渋滞」「混んでる」等）。項目「ユーザ使用回数」に対応して格納される情報は、対応する語句が、当該ユーザ辞書３２に対応する情報提供者が提供した提供情報に含まれていた回数を示す情報である（図３では語句「渋滞」について「３０」等）。
【００２９】
エリア辞書３３は、提供情報取得部２１が提供情報公開サーバ３から取得した提供情報に含まれる語句を、その提供情報が提供された位置を含む地域毎に格納する格納手段である。ここで「地域」とは、例えば「△×地区」の如き一定範囲の領域や、「□○ＩＣから×△ＩＣまで」の如き一定の道路区間等、何らかの境界により区分された区域を示す概念である。以下では、一定範囲の領域を示す場合を例として説明する。図４は、一定範囲の地域「△×地区」についてのエリア辞書３３に格納されている情報を例示した表である。この図４に示すように、エリア辞書３３には、項目「語句」及び「エリア使用回数」に対応する情報が相互に関連付けて格納されている。項目「語句」に対応して格納される情報は、提供情報取得部２１が提供情報公開サーバ３から取得した提供情報の内、当該エリア辞書３３に対応する地域（図４の例では「△×地区」）に含まれる位置から提供された提供情報に含まれる語句である（図４では「渋滞」「混んでる」等）。項目「エリア使用回数」に対応して格納される情報は、対応する語句が、当該エリア辞書３３に対応する地域に含まれる位置から提供された提供情報に含まれていた回数を示す情報である（図４では語句「渋滞」について「１４５」等）。なお、各エリア辞書３３には、当該エリア辞書３３に対応する地域の範囲を特定するための情報（例えば当該地域の境界線を特定するための座標）が付加されているものとする。
【００３０】
交通環境情報辞書３４は、語句と交通環境事象とを相互に関連付けて格納する交通環境情報語句格納手段である。図５は、交通環境情報辞書３４に格納されている情報を例示した表である。この図５に示すように、交通環境情報辞書３４には、項目「語句」「事象」及び「分類」に対応する情報が相互に関連付けて格納されている。この内、項目「語句」に対応して格納される情報は、提供情報取得部２１が提供情報公開サーバ３から取得した提供情報に含まれる語句の少なくとも一部である（図５では「渋滞」「混んでる」等）。項目「事象」に対応して格納される情報は、対応する語句を含む提供情報が提供された位置で発生していた交通環境事象を示す情報である（図５では「渋滞」）。項目「分類」に対応して格納される情報は、対応する語句の分類を示す情報であり、対応する交通環境事象を表す語句として一般的に用いられていることを示す情報（図５では「全域」）、対応する語句を含む提供情報を提供した情報提供者を一意に識別する提供者識別情報（図５では「△△」）、又は対応する語句を含む提供情報が提供された位置を含む地域を示す情報（「△×地区」）が格納される。
【００３１】
これらのキーワード辞書３１、ユーザ辞書３２、エリア辞書３３、及び交通環境情報辞書３４に各情報が格納されるタイミングや各情報の取得元等の詳細については後述する。
【００３２】
（処理）
次に、このように構成された交通環境情報辞書作成装置１によって実行される処理について説明する。交通環境情報辞書作成装置１によって実行される処理は、キーワード辞書登録処理、及び、交通環境情報辞書登録処理に大別される。
【００３３】
（処理−キーワード辞書登録処理）
まず、キーワード辞書登録処理について説明する。図６はキーワード辞書登録処理のフローチャートである（以下の各処理の説明ではステップを「Ｓ」と略記する）。このキーワード辞書登録処理は、例えば、交通環境情報辞書作成装置１に電源が投入された後、所定の周期にて繰り返し起動される。
【００３４】
図６に示すように、キーワード辞書登録処理が開始されると、提供情報取得部２１は、提供情報、当該提供情報が提供された位置を特定する位置情報、及び当該提供情報を提供した情報提供者を一意に識別する提供者識別情報を、提供情報公開サーバ３から取得する（ＳＡ１）。
【００３５】
図７は、端末装置から提供情報公開サーバ３にアップロードされ、当該提供情報公開サーバ３に格納される提供情報を例示した表である。図７に示すように、提供情報公開サーバ３により、項目「ユーザ」「提供情報」及び「位置情報」に対応する情報が相互に関連付けて格納される。この内、項目「ユーザ」に対応する情報は、情報提供者を一意に識別する提供者識別情報である（図７では「△△」等）。この提供者識別情報としては、例えば、提供者が端末装置により提供情報公開サーバ３にアクセスする際に必要となるユーザＩＤを用いることができ、端末装置から提供情報公開サーバ３に提供情報がアップロードされる際に、当該提供情報と共に提供情報公開サーバ３に送信される。項目「提供情報」に対応する情報は、情報提供者から提供された提供情報である（図７では「・・・牛歩！」等）。項目「位置情報」に対応する情報は、提供情報が提供された位置を特定する情報である（図７では「ｘ１，ｙ１」等）。この位置情報としては、例えばＧＰＳを用いて特定した端末装置の現在位置を示す座標を用いることができ、端末装置から提供情報公開サーバ３に提供情報がアップロードされる際に、当該提供情報と共に提供情報公開サーバ３に送信される。これらの情報は、各ユーザの端末装置から提供情報公開サーバ３にアップロードされる度に順次公開される。提供情報取得部２１は、前回のＳＡ１の処理を実行してから今回のＳＡ１の処理を実行するまでの間に提供情報公開サーバ３により公開された提供情報、並びに当該提供情報に関連付けられた提供者識別情報及び位置情報を、当該提供情報公開サーバ３から取得する。
【００３６】
図６に戻り、提供情報取得部２１は、ＳＡ１で当該提供情報取得部２１が取得した提供情報が提供された位置を、当該提供情報に対応する位置情報に基づき特定し、地図上にマッピングする（ＳＡ２）。
【００３７】
次に、交通環境情報取得部２２は、交通環境情報を交通環境情報配信サーバ４から取得する（ＳＡ３）。交通環境情報取得部２２は、例えば交通環境情報配信サーバ４から配信された交通環境情報であって、前回のＳＡ１の処理を実行してから今回のＳＡ１の処理を実行するまでの間に発生した交通環境事象に対応する交通環境情報を、通信部１０を介して取得する。
【００３８】
続いて、交通環境情報辞書登録部２３は、ＳＡ１で提供情報取得部２１により取得された位置情報と、ＳＡ３で交通環境情報取得部２２により取得された交通環境情報とに基づき、交通環境事象が発生している範囲内で提供された提供情報を特定する（ＳＡ４）。
【００３９】
具体的には、交通環境情報辞書登録部２３は、ＳＡ３で交通環境情報取得部２２により取得された交通環境情報に含まれる情報のうち、交通環境事象が発生している範囲を特定する情報に基づき、当該交通環境事象が発生した範囲を特定する。ここで「交通環境事象が発生している範囲を特定する情報」は、例えば、公知のナビゲーションシステムで用いられる地図情報に含まれるリンクデータであって、当該交通環境事象が発生している区間に対応するリンクデータを用いて構成される。そして、交通環境情報辞書登録部２３は、当該特定した交通環境事象が発生した範囲と、ＳＡ２で提供情報取得部２１が地図上にマッピングした各位置（すなわち、ＳＡ１で当該提供情報取得部２１が取得した提供情報が提供された位置）とを比較することにより、交通環境事象が発生している範囲内で提供された提供情報を特定する。この際、交通環境情報辞書登録部２３は、交通環境事象が発生している範囲内で提供された提供情報と当該交通環境事象とを、相互に対応付けて例えばＲＡＭに記憶させる。
【００４０】
ＳＡ４の処理の後、交通環境情報辞書登録部２３は、当該ＳＡ４の処理で特定した、交通環境事象が発生している範囲内で提供された提供情報毎に、当該提供情報に含まれる語句を分類するための分類処理を実行する（ＳＡ５）。このＳＡ５の処理の後、制御部２０はキーワード辞書登録処理を終了する。
【００４１】
（処理−分類処理）
ここで、分類処理について説明する。図８は分類処理のフローチャートである。図８に示すように、分類処理が開始されると、交通環境情報辞書登録部２３は、交通環境事象が発生している範囲内で提供された提供情報に含まれている語句を抽出する（ＳＢ１）。例えば交通環境情報辞書登録部２３は、形態素解析等の公知の言語処理技術を用いて、提供情報に含まれている語句の内、動詞、形容詞、名詞等の自立語を抽出する。
【００４２】
続いて交通環境情報辞書登録部２３は、ＳＢ１で抽出した語句が、当該語句が含まれる提供情報が提供された位置で発生していた交通環境事象に関連付けられてキーワード辞書３１に格納されているか否かを判定する（ＳＢ２）。例えば交通環境情報辞書登録部２３は、ＳＢ１で抽出した語句が含まれる提供情報に対応付けて図６のＳＡ４でＲＡＭに記憶された交通環境事象を取得し、当該取得した交通環境事象とＳＢ１で抽出した語句とが、図２に示したキーワード辞書３１において相互に関連付けて格納されているか否かを判定する。
【００４３】
図８に戻り、ＳＢ２の判定の結果、ＳＢ１で抽出した語句が、当該語句が含まれる提供情報が提供された位置で発生していた交通環境事象に関連付けられてキーワード辞書３１に格納されている場合（ＳＢ２、Ｙｅｓ）、交通環境情報辞書登録部２３は、図２に示したキーワード辞書３１において当該語句に関連付けて格納されている項目「総使用回数」に対応する情報を１回分加算する（ＳＢ３）。例えば、交通環境事象「渋滞」が発生している範囲内で提供された提供情報から、ＳＢ１で語句「渋滞」が抽出された場合、図２のキーワード辞書３１において語句「渋滞」に関連付けて格納されている総使用回数「５３２」に１を加算して「５３３」とする。
【００４４】
図８に戻り、ＳＢ２の判定の結果、ＳＢ１で抽出した語句が、当該語句が含まれる提供情報が提供された位置で発生していた交通環境事象に関連付けられてキーワード辞書３１に格納されていない場合（ＳＢ２、Ｎｏ）、交通環境情報辞書登録部２３は、ＳＢ１で抽出した語句をキーワード辞書３１に登録する（ＳＢ４）。すなわち交通環境情報辞書登録部２３は、ＳＢ１で抽出した語句を、当該語句が含まれる提供情報が提供された位置で発生していた交通環境事象に関連付けてキーワード辞書３１に格納すると共に、対応する総使用回数として「１」を格納する。
【００４５】
ＳＢ３又はＳＢ４の処理の後、交通環境情報辞書登録部２３は、ＳＢ１で抽出した語句が、当該語句が含まれる提供情報を提供した情報提供者についてのユーザ辞書３２に格納されているか否かを判定する（ＳＢ５）。例えば交通環境情報辞書登録部２３は、ＳＢ１で抽出した語句が含まれる提供情報と共にＳＡ１で提供情報取得部２１が取得した提供者識別情報に基づき、ＳＢ１で抽出した語句が含まれる提供情報を提供した情報提供者を特定し、当該特定した情報提供者についてのユーザ辞書３２に、ＳＢ１で抽出した語句が格納されているか否かを判定する。
【００４６】
その結果、ＳＢ１で抽出した語句が、当該語句が含まれる提供情報を提供した情報提供者についてのユーザ辞書３２に格納されている場合（ＳＢ５、Ｙｅｓ）、交通環境情報辞書登録部２３は、図３に示したユーザ辞書３２において当該語句に関連付けて格納されている項目「ユーザ使用回数」に対応する情報を１回分加算する（ＳＢ６）。例えば、情報提供者「△△」が提供した提供情報から、ＳＢ１で語句「渋滞」が抽出された場合、図３のユーザ辞書３２において語句「渋滞」に関連付けて格納されているユーザ使用回数「３０」に１を加算して「３１」とする。
【００４７】
図８に戻り、ＳＢ５判定の結果、ＳＢ１で抽出した語句が、当該語句が含まれる提供情報を提供した情報提供者についてのユーザ辞書３２に格納されていない場合（ＳＢ５、Ｎｏ）、交通環境情報辞書登録部２３は、ＳＢ１で抽出した語句を当該情報提供者についてのユーザ辞書３２に登録する（ＳＢ７）。すなわち交通環境情報辞書登録部２３は、ＳＢ１で抽出した語句を、当該情報提供者についてのユーザ辞書３２に格納すると共に、対応するユーザ使用回数として「１」を格納する。なお、当該語句が含まれる提供情報を提供した情報提供者についてのユーザ辞書３２自体がデータ記録部３０に存在しない場合は、交通環境情報辞書登録部２３は、当該情報提供者についてのユーザ辞書３２をデータ記録部３０に新たに設けた上で、当該ユーザ辞書３２にＳＢ１で抽出した語句を登録する。
【００４８】
ＳＢ６又はＳＢ７の処理の後、交通環境情報辞書登録部２３は、ＳＢ１で抽出した語句が、当該語句が含まれる提供情報が提供された位置を含む地域についてのエリア辞書３３に格納されているか否かを判定する（ＳＢ８）。例えば交通環境情報辞書登録部２３は、ＳＢ１で抽出した語句が含まれる提供情報と共にＳＡ１で提供情報取得部２１が取得した位置情報に基づき、ＳＢ１で抽出した語句が含まれる提供情報が提供された位置を特定し、当該特定した位置を含む地域についてのエリア辞書３３に、ＳＢ１で抽出した語句が格納されているか否かを判定する。なお、各エリア辞書３３に対応する地域が「提供情報が提供された位置を含む地域」であるか否かは、例えば各エリア辞書３３に付加されている当該エリア辞書３３に対応する地域の範囲を特定するための情報に基づき、交通環境情報辞書登録部２３によって判定される。
【００４９】
その結果、ＳＢ１で抽出した語句が、当該語句が含まれる提供情報が提供された位置を含む地域についてのエリア辞書３３に格納されている場合（ＳＢ８、Ｙｅｓ）、交通環境情報辞書登録部２３は、図４に示したエリア辞書３３において当該語句に関連付けて格納されている項目「エリア使用回数」に対応する情報を１回分加算する（ＳＢ９）。例えば、地域「△×地区」に含まれる位置で提供された提供情報から、ＳＢ１で語句「渋滞」が抽出された場合、図４のエリア辞書３３において語句「渋滞」に関連付けて格納されているエリア使用回数「１４５」に１を加算して「１４６」とする。
【００５０】
図８に戻り、ＳＢ８判定の結果、ＳＢ１で抽出した語句が、当該語句が含まれる提供情報が提供された位置を含む地域についてのエリア辞書３３に格納されていない場合（ＳＢ８、Ｎｏ）、交通環境情報辞書登録部２３は、ＳＢ１で抽出した語句を当該地域についてのエリア辞書３３に登録する（ＳＢ１０）。すなわち交通環境情報辞書登録部２３は、ＳＢ１で抽出した語句を、当該地域についてのエリア辞書３３に格納すると共に、対応するエリア使用回数として「１」を格納する。なお、当該語句が含まれる提供情報が提供された位置を含む地域についてのエリア辞書３３自体がデータ記録部３０に存在しない場合は、交通環境情報辞書登録部２３は、当該地域についてのエリア辞書３３をデータ記録部３０に新たに設けた上で、当該エリア辞書３３にＳＢ１で抽出した語句を登録する。
【００５１】
ＳＢ９又はＳＢ１０の処理の後、制御部２０は分類処理を終了し、メインルーチンに戻る。
【００５２】
（処理−交通環境情報辞書登録処理）
次に、交通環境情報辞書登録処理について説明する。図９は交通環境情報辞書登録処理のフローチャートである。この交通環境情報辞書登録処理は、例えば、交通環境情報辞書作成装置１に電源が投入された後、キーワード辞書登録処理が所定回数実行される度に繰り返し起動される。
【００５３】
図９に示すように、交通環境情報辞書登録処理が開始されると、交通環境情報辞書登録部２３は、キーワード辞書３１に格納されている語句のうち、交通環境情報辞書３４に格納されていない語句を抽出する（ＳＣ１）。
【００５４】
次に、交通環境情報辞書登録部２３は、ＳＣ１で抽出した同一の語句が同種の交通環境事象が発生している範囲内で提供された提供情報に含まれていた累積回数が、閾値以上か否かを判定する（ＳＣ２）。すなわち交通環境情報辞書登録部２３は、図２に例示したキーワード辞書３１を参照し、ＳＣ１で抽出した語句に関連付けて格納されている「総使用回数」が、閾値以上か否かを判定する。この閾値の具体的な値は任意で、例えば１０回を用いる。
【００５５】
その結果、ＳＣ１で抽出した同一の語句が同種の交通環境事象が発生している範囲内で提供された提供情報に含まれていた累積回数が、閾値以上ではない場合（閾値未満である場合）（ＳＣ２、Ｎｏ）、当該語句を交通環境情報辞書３４に登録する段階ではないものとし、交通環境情報辞書登録部２３は交通環境情報辞書登録処理を終了する。
【００５６】
一方、ＳＣ１で抽出した同一の語句が同種の交通環境事象が発生している範囲内で提供された提供情報に含まれていた累積回数が、閾値以上である場合（ＳＣ２、Ｙｅｓ）、交通環境情報辞書登録部２３は、当該語句を交通環境情報辞書３４に登録する段階であるものとし、当該語句を含む提供情報を提供した情報提供者の数が１より大きいか否かを判定する（ＳＣ３）。具体的には、交通環境情報辞書登録部２３は、ＳＣ１で抽出した語句を格納するユーザ辞書３２の数が１より大きい場合に、当該語句を含む提供情報を提供した情報提供者の数が１より大きいと判定する。
【００５７】
その結果、ＳＣ１で抽出した語句を含む提供情報を提供した情報提供者の数が１より大きくない場合（ＳＣ３、Ｎｏ）、すなわちＳＣ１で抽出した語句を格納するユーザ辞書３２の数が１である場合、交通環境情報辞書登録部２３は、当該語句を、当該語句を含む提供情報を提供した情報提供者特有の語句として分類する（ＳＣ４）。この際、交通環境情報辞書登録部２３は、当該分類結果を例えばＲＡＭに記憶させる。
【００５８】
一方、ＳＣ３の判定において、ＳＣ１で抽出した語句を含む提供情報を提供した情報提供者の数が１より大きい場合（ＳＣ３、Ｙｅｓ）、すなわちＳＣ１で抽出した語句を格納するユーザ辞書３２の数が１より大きい場合、交通環境情報辞書登録部２３は、当該語句を含む提供情報が提供された位置を含む地域の数が１より大きいか否かを判定する（ＳＣ５）。具体的には、交通環境情報辞書登録部２３は、ＳＣ１で抽出した語句を格納するエリア辞書３３の数が１より大きい場合に、当該語句を含む提供情報が提供された位置を含む地域の数が１より大きいと判定する。
【００５９】
その結果、ＳＣ１で抽出した語句を含む提供情報が提供された位置を含む地域の数が１より大きくない場合（ＳＣ５、Ｎｏ）、すなわちＳＣ１で抽出した語句を格納するエリア辞書３３の数が１である場合、交通環境情報辞書登録部２３は、当該語句を、当該語句を含む提供情報が提供された位置を含む地域特有の語句として分類する（ＳＣ６）。この際、交通環境情報辞書登録部２３は、当該分類結果を例えばＲＡＭに記憶させる。
【００６０】
一方、ＳＣ５の判定において、ＳＣ１で抽出した語句を含む提供情報が提供された位置を含む地域の数が１より大きい場合（ＳＣ５、Ｙｅｓ）、すなわちＳＣ１で抽出した語句を格納するエリア辞書３３の数が１より大きい場合、交通環境情報辞書登録部２３は、当該語句は当該語句に対応する交通環境事象を表す語句として一般的な語句であるものとし、一般的な語句であることを示す「全域」の語句として分類する（ＳＣ７）。この際、交通環境情報辞書登録部２３は、当該分類結果を例えばＲＡＭに記憶させる。
【００６１】
ＳＣ４、ＳＣ６、又はＳＣ７の処理の後、交通環境情報辞書登録部２３は、当該ＳＣ４、ＳＣ６、又はＳＣ７の分類結果に応じて、ＳＣ１で抽出した語句を交通環境情報辞書３４に格納する（ＳＣ８）。すなわち交通環境情報辞書登録部２３は、ＳＣ１で抽出した語句に関連付けてキーワード辞書３１に格納されていた交通環境事象を特定する情報と、ＳＣ４、ＳＣ６、又はＳＣ７の分類結果に対応する情報とを、ＳＣ１で抽出した語句に関連付けて交通環境情報辞書３４に格納する。
【００６２】
例えば図２に例示したキーワード辞書３１からＳＣ１で語句「渋滞」が抽出され、当該語句「渋滞」の分類がＳＣ７で「全域」とされた場合、図５に示すように、交通環境情報辞書登録部２３は、当該語句に関連付けてキーワード辞書３１に格納されていた交通環境事象「渋滞」と、ＳＣ７の分類結果を示す「全域」とを、語句「渋滞」に関連付けて交通環境情報辞書３４に格納する。
【００６３】
また、図２に例示したキーワード辞書３１からＳＣ１で語句「○△渋」（例えば施設○△の近傍で渋滞が発生していることを意味する語句）が抽出され、当該語句「○△渋」の分類がＳＣ６で「当該語句を含む提供情報が提供された位置を含む地域特有」とされた場合、図５に示すように、交通環境情報辞書登録部２３は、当該語句に関連付けてキーワード辞書３１に格納されていた交通環境事象「○△渋」と、ＳＣ７の分類結果に対応する情報として当該語句を含む提供情報が提供された位置を含む地域を示す「△×地区」とを、語句「○△渋」に関連付けて交通環境情報辞書３４に格納する。このように、交通環境事象を表す語句として一般的ではなく、所定の地域のみにおいて用いられる語句についても、当該交通環境事象を表す地域特有の語句として交通環境情報辞書３４に登録することができる。
【００６４】
また、図２に例示したキーワード辞書３１からＳＣ１で語句「牛歩」が抽出され、当該語句「牛歩」の分類がＳＣ４で「当該語句を含む提供情報を提供した情報提供者特有」とされた場合、図５に示すように、交通環境情報辞書登録部２３は、当該語句に関連付けてキーワード辞書３１に格納されていた交通環境事象「牛歩」と、ＳＣ４の分類結果に対応する情報として当該語句を含む提供情報を提供した情報提供者を示す「△△」とを、語句「牛歩」に関連付けて交通環境情報辞書３４に格納する。このように、交通環境事象を表す語句として一般的ではなく、所定の情報提供者のみにおいて用いられる語句についても、当該交通環境事象を表す情報提供者特有の語句として交通環境情報辞書３４に登録することができる。
【００６５】
ＳＣ８の処理の後、制御部２０は交通環境情報辞書登録処理を終了する。
【００６６】
（効果）
このように本実施の形態によれば、提供情報取得部２１により取得された位置情報と、交通環境情報取得部２２により取得された交通環境情報とに基づき、交通環境事象が発生している範囲内で提供された提供情報を特定し、当該特定した提供情報に含まれる語句の少なくとも一部を、当該発生している交通環境事象に関連付けて交通環境情報辞書３４に格納するので、交通環境事象を表す語句として一般的ではない語句についても、特定の交通環境事象を表す語句として交通環境情報辞書３４に登録することができる。
【００６７】
また、交通環境情報辞書登録部２３は、同一の語句が、同種の交通環境事象が発生している範囲内で提供された提供情報に含まれていた累積回数に基づき、当該語句を交通環境情報辞書３４に格納するか否かを判定するので、同種の交通環境事象について一定程度使用されている語句のみを交通環境情報辞書３４に登録することができ、交通環境情報辞書３４の信頼性を向上させることができる。
【００６８】
また、交通環境情報辞書登録部２３は、交通環境事象が発生している範囲内で提供された提供情報に含まれる語句を、当該語句を含む提供情報に対応する提供者識別情報に関連付けて交通環境情報辞書３４に格納するので、交通環境事象を表す語句として一般的ではなく、所定の情報提供者のみにおいて用いられる語句についても、当該交通環境事象を表す情報提供者特有の語句として交通環境情報辞書３４に登録することができる。
【００６９】
また、交通環境情報辞書登録部２３は、提供情報取得部２１により取得された位置情報に基づき、交通環境事象が発生している範囲内で提供された提供情報に含まれる語句を、当該語句を含む提供情報が提供された位置を含む地域に関連付けて交通環境情報辞書３４に格納するので、交通環境事象を表す語句として一般的ではなく、所定の地域のみにおいて用いられる語句についても、当該交通環境事象を表す地域特有の語句として交通環境情報辞書３４に登録することができる。
【００７０】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７１】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００７２】
（交通環境情報辞書作成装置について）
上述の実施の形態では、交通環境情報辞書作成装置１の設置対象について特に明記していないが、例えばカーナビゲーション装置の一部として車両に搭載してもよく、あるいはスマートフォンの如き携帯型情報端末に搭載してもよい。
【００７３】
（交通環境事象について）
上述の実施の形態では、交通環境事象として渋滞が発生している範囲内で提供情報が提供された場合を例として説明したが、対象となる交通環境事象は渋滞に限られず、他の任意の交通環境事象（交通規制、工事、事故、イベント、天気、路面の滑りやすさ、駐車場の込み具合、鉄道の遅延状況等）が発生している範囲内で提供情報が提供された場合においても、上述の実施の形態と同様に交通環境情報辞書作成装置１を用いて当該交通環境事象を表す語句を交通環境情報辞書３４に登録することができる。
【００７４】
（位置情報について）
上述の実施の形態では、提供情報が提供された位置を特定する位置情報として、ＧＰＳを用いて特定された端末装置の現在位置を示す座標であって、当該端末装置から提供情報と共に提供情報公開サーバ３に送信された座標を用いる場合を例として説明したが、他の情報を位置情報として用いてもよい。例えば、提供情報を提供した位置を示すために情報提供者が意図的に提供情報に付加した情報（例えば地図上の特定の位置を表示するＷｅｂページへのリンク等）を位置情報として用いてもよく、あるいは、提供情報自体に含まれる位置を示す情報（例えば「今○○にいます」との提供情報における「○○」）を公知の言語解析技術を用いて特定し、当該情報を位置情報として用いてもよい。
【符号の説明】
【００７５】
１  交通環境情報辞書作成装置
２  ネットワーク
３  提供情報公開サーバ
４  交通環境情報配信サーバ
１０  通信部
２０  制御部
２１  提供情報取得部
２２  交通環境情報取得部
２３  交通環境情報辞書登録部
３０  データ記録部
３１  キーワード辞書
３２  ユーザ辞書
３３  エリア辞書
３４  交通環境情報辞書
【図１】
0005776169.tif 000002
【図２】
0005776169.tif 000003
【図３】
0005776169.tif 000004
【図４】
0005776169.tif 000005
【図５】
0005776169.tif 000006
【図６】
0005776169.tif 000007
【図７】
0005776169.tif 000008
【図８】
0005776169.tif 000009
【図９】
0005776169.tif 000010